(57)【特許請求の範囲】
【請求項１】
ビデオ情報を目的に応じて編集するビデオエディタであって、
前記ビデオエディタへの入力対象として仕様の異なる複数種類のコンピュータが接続可能とされ、
前記複数種類のコンピュータのそれぞれの仕様に対応した回路が備えられ、それぞれの仕様に対応した回路に切り替えて前記コンピュータの出力情報を前記ビデオ情報と同一規格に変換する変換手段と、
前記ビデオ情報を同期化させるフレームシンクロナイズ手段と、
前記フレームシンクロナイズ手段から出力されるビデオ情報の位相を調整するビデオディレイ手段と、
前記変換手段の出力情報を前記ビデオディレイ手段から出力されるビデオ情報に混合する混合手段とが内蔵され、
前記ビデオ情報と前記複数種類のコンピュータの出力情報とを所望の形式で混合させて出力することを特徴とするスキャンコンバート機能付きビデオエディタ。
【請求項２】
請求項１記載のスキャンコンバート機能付きビデオエディタであって、
前記ビデオエディタに記憶手段を内蔵し、この記憶手段を用いた前画面のプレビュー機能が備えられていることを特徴とするスキャンコンバート機能付きビデオエディタ。
【請求項３】
請求項２記載のスキャンコンバート機能付きビデオエディタであって、
前記ビデオエディタにビデオ情報とは別にオーディオ情報を編集可能とするオーディオ機能が備えられていることを特徴とするスキャンコンバート機能付きビデオエディタ。
【請求項４】
請求項１、２または３記載のスキャンコンバート機能付きビデオエディタを用いたビデオシステムであって、
前記ビデオエディタへの入力側に、単数または複数のビデオカメラおよび単数または複数のコンピュータが接続され、また出力側には表示装置または記録装置などが接続されていることを特徴とするビデオシステム。
【発明の詳細な説明】
【０００１】
【産業上の利用分野】
本発明は、ビデオ編集技術に関し、特にスキャンコンバート機能を内蔵し、たとえばパーソナルコンピュータなどのコンピュータ出力信号をビデオ信号と同一規格の信号に変換して、仕様の異なる複数種類のコンピュータなどに適用可能なマルチメディア対応のスキャンコンバート機能付きビデオエディタおよびそれを用いたビデオシステムに適用して有効な技術に関する。
【０００２】
【従来の技術】
たとえば、ビデオエディタによる編集技術には大きく分けて、１つ１つのカット映像シーンをつなぎ合わせて編集するアセンブル編集と、ベースとなる映像の上に必要なカットをすげ替えるように編集するインサート編集とがあり、これらは目的に応じて使い分けて採用されるようになっている。
【０００３】
このアセンブル編集とインサート編集の特徴は、映像を記録するコントロール信号を映像と一緒に新たに記録するか、しないかに違いがあり、記録するビデオ信号に同期したコントロール信号を新たに記録する方法がアセンブル編集であり、すでに記録されているコントロール信号に映像を同期させて記録する方法がインサート編集である。
【０００４】
また、ビデオエディタのオーディオ対応の場合には、音声を映像信号とは別にインサートするか、しないかが選択でき、たとえば予め記録してある音声に合わせて映像を編集したり、これと反対にできあがった映像に後から音声を追加編集することができるようになっている。
【０００５】
【発明が解決しようとする課題】
ところが、前記のようなビデオエディタにおいては、近年のマルチメディア技術の進歩に伴って媒体や手段が多様化してきており、従来のビデオ・オーディオ機能の他に、たとえばパーソナルコンピュータなどのコンピュータ情報などについてもビデオ・オーディオ情報と共に編集の対象として要求されてきている。
【０００６】
そのために、たとえばコンピュータ対応のコンバータをビデオエディタに外付けして接続したり、または情報を記録するための内部容量を大幅に増やすなどの対策が必要となり、ビデオエディタに機能を追加する上でコスト的な問題が生じてきている。
【０００７】
そこで、本発明の目的は、機能追加のためのコストを最小限に抑え、特にスキャンコンバート機能を内蔵してパーソナルコンピュータなどのコンピュータからのＲＧＢ信号をビデオ信号と同一規格の信号に変換し、仕様の異なる複数種類のコンピュータなどに適用できるマルチメディア対応のスキャンコンバート機能付きビデオエディタおよびそれを用いたビデオシステムを提供することにある。
【０００８】
本発明の前記ならびにその他の目的と新規な特徴は、本明細書の記述および添付図面から明らかになるであろう。
【０００９】
【課題を解決するための手段】
本願において開示される発明のうち、代表的なものの概要を簡単に説明すれば、以下のとおりである。
【００１０】
すなわち、本発明のスキャンコンバート機能付きビデオエディタは、ビデオ情報を目的に応じて編集するビデオエディタに適用されるものであり、このビデオエディタへの入力対象としてコンピュータを接続可能とし、このコンピュータの出力情報をビデオ情報と同一規格に変換する変換手段と、この変換手段の出力情報をビデオ情報に混合する混合手段とを内蔵するものである。
【００１１】
特に、前記コンピュータとして仕様の異なる複数種類のコンピュータを接続可能とし、これらのコンピュータのそれぞれの仕様に対応した回路を変換手段に備え、それぞれの回路に切り替えて複数種類のコンピュータからの出力情報をビデオ情報に混合させて出力するようにしたものである。
【００１２】
さらに、前記ビデオエディタへの機能として、たとえば入力対象の画像を同期化させるフレームシンクロナイズ機能、記憶手段を用いた前画面のプレビュー機能、さらにオーディオ情報を編集可能とするオーディオ機能を備えるようにしたものである。
【００１３】
また、本発明のビデオシステムは、前記スキャンコンバート機能付きビデオエディタを用い、ビデオエディタへの入力側に、単数または複数のビデオカメラおよび単数または複数のコンピュータを接続し、また出力側には表示装置または記録装置などを接続したものである。
【００１４】
【作用】
前記したスキャンコンバート機能付きビデオエディタおよびそれを用いたビデオシステムによれば、ビデオエディタの内部に変換手段および混合手段が内蔵されることにより、たとえば従来からのビデオカメラなどから出力されるビデオ信号の情報と、マルチメディア対応などに伴うパーソナルコンピュータなどのコンピュータから出力されるＲＧＢ信号の情報とを、目的に応じて所望の形式で混合させることができる。
【００１５】
特に、コンピュータのそれぞれの仕様に対応した回路が変換手段に備えられることにより、たとえばコンピュータから出力されるＲＧＢ信号の仕様が異なる場合でも、これらの複数種類のコンピュータのＲＧＢ信号を取り込んでビデオ信号と同一規格の信号に変換してコンピュータへのマルチ対応が可能となる。
【００１６】
さらに、フレームシンクロナイズ機能によって入力対象の画像を同期化させたり、プレビュー機能によって記憶されている前画面を使用あるいは出力させたり、オーディオ機能によってビデオ信号とは別に音声などのオーディオ信号を編集することができる。
【００１７】
これにより、従来のようにコンピュータ対応のコンバータをビデオエディタに外付けして接続したり、または情報を記録するための内部容量を大幅に増やす必要がないので、機能追加のためのコストを最小限に抑えることができる上に、スキャンコンバート機能の内蔵によって小型・軽量で一通りの簡易編集機能を備えたビデオエディタを得ることができる。
【００１８】
また、特にスキャンコンバート機能を内蔵してパーソナルコンピュータなどのコンピュータからのＲＧＢ信号をビデオ信号と同一規格の信号に変換することができるので、周波数や画素数などの仕様の異なる複数種類のコンピュータなどに適用できるマルチ対応、さらにビデオカメラなどを入力対象とするマルチメディア対応のビデオエディタ、表示装置または記録装置などが接続されるビデオシステムを実現することができる。
【００１９】
【実施例】
以下、本発明の実施例を図面に基づいて詳細に説明する。
【００２０】
図１は本発明の一実施例であるスキャンコンバート機能付きビデオエディタの映像系統を示す構成図、図２は本実施例のスキャンコンバート機能付きビデオエディタにおいて、ＰＲＥＶＩＥＷモードにおける映像系統図上の信号経路図である。
【００２１】
まず、図１により本実施例のスキャンコンバート機能付きビデオエディタの映像系統の構成を説明する。なお、図１においては、オーディオ機能によってビデオ信号とは別に音声などのオーディオ信号を編集する系統は省略してある。
【００２２】
本実施例のスキャンコンバート機能付きビデオエディタは、たとえばビデオカメラによるビデオ信号とコンピュータによる出力信号を入力情報として編集するビデオエディタとされ、スキャンコンバート部ＳＣＡＮ・Ｃ（変換手段）、フレームシンクロナイズ部ＦＳ、ビデオディレイ部Ｖ・ＤＬ、ミキシング／キーエフェクト部Ｍ／Ｋ（混合手段）、スペシャルエフェクト部ＥＦＦ、ウェイブフォームジェネレート部ＷＦＧ、スーパーインポーズ部ＳＵＰ、バッファ部ＢＡなどから構成され、これらはクロスポイントスイッチャーＣＰ−ａ〜ＣＰ−ｅによって信号が切り替えられるようになっている。
【００２３】
また、このスキャンコンバート機能付きビデオエディタには、素材入力端子Ｓ・ＩＮ１〜３から工業用、業務用、家庭用などの種々のビデオカメラからのＶＢＳ信号が入力可能とされ、さらに素材入力端子Ｓ・ＩＮＰＣから複数種類のパーソナルコンピュータからのアナログＲＧＢ信号が入力可能となっている。
【００２４】
スキャンコンバート部（Ｓｃａｎ  Ｃｏｎｖｅｒｔ）ＳＣＡＮ・Ｃは、ビデオカメラから出力されるビデオ信号と同一処理の場合に、同じ規格の信号にパーソナルコンピュータの出力信号を変換する機能を持ち、このスキャンコンバート部ＳＣＡＮ・ＣでパーソナルコンピュータのＲＧＢ信号（ノンインターレース）がＥＩＡＪ−ＲＧＢまたはＶＢＳ（ＮＴＳＣ）信号に変換される。
【００２５】
たとえば、ＮＥＣ製のＰＣ９８シリーズ（他にエプソンなど）は、水平周波数が２４．３８ＫＨｚ、表示画素数が６４０（Ｈ）×４００（Ｖ）であり、ＩＢＭ製のＰＣＡＴシリーズ（ＶＧＡ）（他にＰＣＡＴ互換機）は水平周波数が３１．４６９ＫＨｚ、表示画素数が６４０（Ｈ）×４８０（Ｖ）であり、他にアップルコンピュータ製のＭＡＣシリーズなどの信号を水平周波数が１５．７５ＫＨｚ、インターレーススキャンに、すなわちスキャンコンバート部ＳＣＡＮ・Ｃで「周波数変換」と「ノンインターレース→インターレース変換」、「画素対応変換」が行われ、標準信号が生成されるようになっている。
【００２６】
フレームシンクロナイズ部（Ｆｒａｍｅ  Ｓｙｎｃｈｒｏｎｉｚｅ  ）ＦＳは、入力対象のビデオカメラからのＶＢＳ信号による画像を同期化させる機能を持つ部分である。
【００２７】
ビデオディレイ部（Ｖｉｄｅｏ  Ｄｅｌａｙ  ）Ｖ・ＤＬは、ビデオ信号の位相を調整する位相調整器としての機能を持つ部分である。
【００２８】
ミキシング／キーエフェクト部（Ｍｉｘｉｎｇ  ／  Ｋｅｙ  Ｅｆｆｅｃｔ  ）Ｍ／Ｋは、ＫＥＹ効果によってワイプ（ＷＩＰＥ）信号が入力するとワイプ効果が出力され、スーパー（ＳＵＰＥＲ：ＫＥＹ）信号が入力するとスーパー効果が出力（ＩＮＰＯＳＥ））されるようになっている。
【００２９】
スペシャルエフェクト部（Ｓｐｅｃｉａｌ  Ｅｆｆｅｃｔ）ＥＦＦは、特殊効果を発生させる発生部としての機能を持ち、内部にフレームメモリＭＥＭ（記憶手段）を内蔵してプレビュー機能によってフレームメモリＭＥＭに記憶されている前画面が使用あるいは出力されるようになっている。
【００３０】
ウェイブフォームジェネレート部（Ｗａｖｅ  Ｆｏｒｍ  Ｇｅｎｅｒａｔｏｒ  ）ＷＦＧは、ワイプ波形を発生させる発生器としての機能を持つ部分である。
【００３１】
スーパーインポーズ部（Ｓｕｐｅｒ  Ｉｎｐｏｓｅ）ＳＵＰは、スーパーインポーズ信号を成形する成形器としての機能を持つ部分であり、このスーパーインポーズ部ＳＵＰには文字信号が入力される。
【００３２】
バッファ部（Ｂｕｆｆｅｒ）ＢＡは、出力アンプとしての機能を持ち、７５Ωの同軸ケーブルをドライブ可能な出力信号が得られるようになっている。
【００３３】
次に、本実施例の作用について、始めに本装置に装備されている効果を説明する。
【００３４】
（１）．フリーズ効果は、静止画、すなわちメモリ使用で動画を静止画に変換する処理である。
【００３５】
（２）．モザイック効果は、モザイック調のぼかしを用いて表示したくないところをぼかす処理である。
【００３６】
（３）．ペイント効果は、油絵のようなざらざら画面にする処理である。
【００３７】
（４）．ＰＩＰ（ピクチャーインピクチャー）効果は、親画面の中に子画面を作る処理である。
【００３８】
（５）．スーパーインポーズは、画面の中に文字をはめ込む処理である。
【００３９】
（６）．ＭＩＸ（ミキシング）効果は、２つの信号を混合する処理である。
【００４０】
（７）．ＷＩＰＥ効果は、２つの信号をＫＥＹ信号によって分割し、その境界線が移動する、すなわちＡ画面からＢ画面にワイプ効果によって画面変換する処理である。
【００４１】
次に、前記構成によるビデオエディタにおいて、実際に編集処理を行う場合について説明する。なお、この編集処理は、たとえばコンピュータ制御によって全て自動化して行われる。
【００４２】
まず、素材入力端子Ｓ・ＩＮ１〜３、素材入力端子Ｓ・ＩＮＰＣの信号からクロスポイントスイッチャーＣＰ−ａ，ＣＰ−ｂを動作させ、Ａ列、Ｂ列からそれぞれ１つを選択する。また、素材入力端子Ｓ・ＩＮＰＣの信号については、使用するパーソナルコンピュータに合わせてスイッチを切り替える。
【００４３】
たとえば、クロスポイントスイッチャーＣＰ−ａのＡ列を「１」、クロスポイントスイッチャーＣＰ−ｂのＢ列を「２」にセレクトした場合に、
（１）．効果モード「ＭＩＸ」のときには、映像出力端子Ｌ・ＯＵＴ（Ｌｉｎｅ  Ｏｕｔｐｕｔ）に「Ａ＋Ｂ」の素材入力端子Ｓ・ＩＮ１の信号と素材入力端子Ｓ・ＩＮ２の信号の混合された信号が出力される。たとえば図１において、素材入力端子Ｓ・ＩＮ１の信号と素材入力端子Ｓ・ＩＮ２の信号をそれぞれフレームシンクロナイズ部ＦＳ、ビデオディレイ部Ｖ・ＤＬを経由させてミキシング／キーエフェクト部Ｍ／Ｋに入力し、２つのビデオ信号を混合させて映像出力端子Ｌ・ＯＵＴ，ＰＶ・ＯＵＴから出力させることができる。
【００４４】
（２）．効果モード「ＷＩＰＥ」のときには、映像出力端子Ｌ・ＯＵＴに「Ａ→Ｂ」の素材入力端子Ｓ・ＩＮ１の信号から素材入力端子Ｓ・ＩＮ２の信号に画面変換された信号が出力される。たとえば、素材入力端子Ｓ・ＩＮ１の信号と素材入力端子Ｓ・ＩＮ２の信号をそれぞれフレームシンクロナイズ部ＦＳ、ビデオディレイ部Ｖ・ＤＬを経由させてミキシング／キーエフェクト部Ｍ／Ｋに入力し、さらにウェイブフォームジェネレート部ＷＦＧからワイプ信号を入力して２つのビデオ信号を画面変換して映像出力端子Ｌ・ＯＵＴ，ＰＶ・ＯＵＴから出力させることができる。
【００４５】
（３）．効果モード「ＥＦＦ」のときには、フリーズ、モザイック、ペイント、ＰＩＰなどの効果が選択されて、その効果信号が出力される。たとえば、素材入力端子Ｓ・ＩＮ１の信号をフレームシンクロナイズ部ＦＳ、スペシャルエフェクト部ＥＦＦを経由させてミキシング／キーエフェクト部Ｍ／Ｋに入力し、かつ素材入力端子Ｓ・ＩＮ２の信号をフレームシンクロナイズ部ＦＳ、ビデオディレイ部Ｖ・ＤＬを経由させてミキシング／キーエフェクト部Ｍ／Ｋに入力し、２つのビデオ信号を特殊効果処理させて映像出力端子Ｌ・ＯＵＴ，ＰＶ・ＯＵＴから出力させることができる。
【００４６】
（４）．効果モード「ＥＦＦ」において、ＰＩＰ効果が選択された場合には、素材入力端子Ｓ・ＩＮ１の信号をフレームシンクロナイズ部ＦＳ、スペシャルエフェクト部ＥＦＦを経由させてミキシング／キーエフェクト部Ｍ／Ｋに入力し、かつ素材入力端子Ｓ・ＩＮ２の信号をフレームシンクロナイズ部ＦＳ、ビデオディレイ部Ｖ・ＤＬを経由させてミキシング／キーエフェクト部Ｍ／Ｋに入力すると同時にスペシャルエフェクト部ＥＦＦに入力し、２つのビデオ信号をＰＩＰ効果処理させて映像出力端子Ｌ・ＯＵＴ，ＰＶ・ＯＵＴから出力させることができる。
【００４７】
（５）．クロスポイントスイッチャーＣＰ−ａ，ＣＰ−ｂで「４」をセレクトすると、パーソナルコンピュータからの出力信号が取り込まれる。たとえば図１において、素材入力端子Ｓ・ＩＮ１の信号と素材入力端子Ｓ・ＩＮ２の信号をそれぞれフレームシンクロナイズ部ＦＳ、ビデオディレイ部Ｖ・ＤＬを経由させてミキシング／キーエフェクト部Ｍ／Ｋに入力し、さらに素材入力端子Ｓ・ＩＮＰＣの信号をスキャンコンバート部ＳＣＡＮ・Ｃからスーパーインポーズ部ＳＵＰを経由させてミキシング／キーエフェクト部Ｍ／Ｋに入力し、２つのビデオ信号にパーソナルコンピュータの信号を混合させて映像出力端子Ｌ・ＯＵＴ，ＰＶ・ＯＵＴから出力させることができる。
【００４８】
（６）．「ＳＵＰ」では画像合成後の最終段で文字がミキシング（ＭＩＸ）される。たとえば、素材入力端子Ｓ・ＩＮ１の信号と素材入力端子Ｓ・ＩＮ２の信号をそれぞれフレームシンクロナイズ部ＦＳ、ビデオディレイ部Ｖ・ＤＬを経由させてミキシング／キーエフェクト部Ｍ／Ｋに入力し、さらにスーパービデオ入力端子ＳＶから文字信号を入力してスーパーインポーズ部ＳＵＰを経由させてミキシング／キーエフェクト部Ｍ／Ｋに入力し、２つのビデオ信号に文字信号を混合させて映像出力端子Ｌ・ＯＵＴ，ＰＶ・ＯＵＴから出力させることができる。
【００４９】
（７）．「ＰＲＥＶＩＥＷ」機能では、一般編集機として使用する場合には映像出力端子Ｌ・ＯＵＴから出力され、プレゼンテーション用として使用する場合には、映像出力端子ＰＶ・ＯＵＴから出力される。たとえば図２に示すように、通常の出力では素材入力端子Ｓ・ＩＮ１の信号と素材入力端子Ｓ・ＩＮ２の信号をそれぞれフレームシンクロナイズ部ＦＳ、ビデオディレイ部Ｖ・ＤＬを経由させてミキシング／キーエフェクト部Ｍ／Ｋに入力し、２つのビデオ信号を混合させて「Ｍ／Ｋ」の信号を映像出力端子Ｌ・ＯＵＴから出力させることができる。
【００５０】
一方、「ＰＲＥＶＩＥＷ」モードでは、２つのビデオ信号を混合させてミキシング／キーエフェクト部Ｍ／Ｋからの出力信号をスペシャルエフェクト部ＥＦＦの内部のフレームメモリＭＥＭに記憶させ、映像出力端子ＰＶ・ＯＵＴから静止画として出力させることができる。なお、一旦送出した信号（画面）を説明などのため再度送出したいときは前もって記憶したものを使用することができる。
【００５１】
以上のようにして、クロスポイントスイッチャーＣＰ−ａ〜ＣＰ−ｅによって信号系統を切り替え、これによってＭＩＸ効果、ＷＩＰＥ効果、特殊効果としてのフリーズ、モザイック、ペイントおよびＰＩＰ効果、さらにＳＵＰ効果などの種々の編集処理を行うことができる。
【００５２】
従って、本実施例のスキャンコンバート機能付きビデオエディタによれば、スキャンコンバート部ＳＣＡＮ・Ｃおよびミキシング／キーエフェクト部Ｍ／Ｋなどが内蔵されることにより、ビデオカメラなどから出力されるビデオ信号と、パーソナルコンピュータから出力されるＲＧＢ信号を入力として目的に応じた種々の効果編集処理を行うことができ、特にパーソナルコンピュータから出力されるＲＧＢ信号の仕様が異なる場合でも、これらのＲＧＢ信号を取り込んでスキャンコンバート部ＳＣＡＮ・Ｃでビデオ信号と同一規格の信号に変換することができるので、パーソナルコンピュータに対してマルチ的に対応することができる。
【００５３】
以上、本発明者によってなされた発明を実施例に基づき具体的に説明したが、本発明は前記実施例に限定されるものではなく、その要旨を逸脱しない範囲で種々変更可能であることはいうまでもない。
【００５４】
たとえば、本実施例のスキャンコンバート機能付きビデオエディタについては、前述のような全ての構成を備える必要はなく、少なくとも２つの映像をミキシングするような基本的な編集機能の他に、本発明の特徴であるスキャンコンバート機能を備える場合に広く適用可能である。
【００５５】
また、パーソナルコンピュータの他に、他のコンピュータなどの信号が入力される場合、さらに効果編集機能についても、前述のような機能の他に、他の種々の編集機能が備えられているビデオエディタについても適用可能であることはいうまでもない。
【００５６】
以上の説明では、主として本発明者によってなされた発明をその利用分野であるビデオエディタに適用した場合について説明したが、これに限定されるものではなく、ビデオエディタの出力側にビデオモニタ、ＯＨＰなどの表示装置またはＶＴＲなどの記録装置が接続されるような構成のビデオシステムなどについても広く適用可能である。
【００５７】
【発明の効果】
本願において開示される発明のうち、代表的なものによって得られる効果を簡単に説明すれば、以下のとおりである。
【００５８】
（１）．ビデオエディタの内部に、コンピュータの出力情報をビデオ情報と同一規格に変換する変換手段と、この変換手段の出力情報をビデオ情報に混合する混合手段とを内蔵することにより、ビデオカメラなどから出力されるビデオ信号の情報と、コンピュータから出力されるＲＧＢ信号の情報とを目的に応じて所望の形式で混合させることができるので、マルチメディア対応のビデオエディタの実現が可能となる。
【００５９】
（２）．仕様の異なる複数種類のコンピュータのそれぞれの仕様に対応した回路を変換手段に備えることにより、それぞれの仕様に対応した回路に切り替えて複数種類のコンピュータからの出力情報をビデオ情報と同一規格の信号に変換してビデオ情報に混合させることができるので、コンピュータへのマルチ対応が可能となる。
【００６０】
（３）．入力対象の画像を同期化させるフレームシンクロナイズ機能、記憶手段を用いた前画面のプレビュー機能、さらにオーディオ情報を編集可能とするオーディオ機能を備えることにより、ビデオエディタによるビデオ編集機能の他に、オーディオ機能への対応、表示装置へのプレビュー機能などの付加機能の追加が可能となる。
【００６１】
（４）．前記（１）  〜（３）  により、コンピュータ対応のコンバータをビデオエディタに外付けして接続したり、または情報を記録するための内部容量を大幅に増やす必要がないので、機能追加のためのコストを最小限に抑えることができる上に、スキャンコンバート機能の内蔵によって小型・軽量で一通りの簡易編集機能を備えたビデオエディタを得ることが可能となる。
【００６２】
（５）．前記（１）  〜（３）  により、特にスキャンコンバート機能を内蔵してコンピュータからのＲＧＢ信号をビデオ信号と同一規格の信号に変換することができるので、複数種類のコンピュータおよび目的用途の異なるビデオカメラなどを入力対象とするマルチメディア対応のビデオエディタ、さらにビデオエディタの出力側に表示装置または記録装置などが接続されたビデオシステムなどに良好に適用可能となる。
【図面の簡単な説明】
【図１】本発明の一実施例であるスキャンコンバート機能付きビデオエディタの映像系統を示す構成図である。
【図２】本実施例のスキャンコンバート機能付きビデオエディタにおいて、ＰＲＥＶＩＥＷモードにおける映像系統図上の信号経路図である。
【符号の説明】
ＳＣＡＮ・Ｃ  スキャンコンバート部（変換手段）
ＦＳ          フレームシンクロナイズ部
Ｖ・ＤＬ      ビデオディレイ部
Ｍ／Ｋ        ミキシング／キーエフェクト部（混合手段）
ＥＦＦ        スペシャルエフェクト部
ＷＦＧ        ウェイブフォームジェネレート部
ＳＵＰ        スーパーインポーズ部
ＢＡ          バッファ部
ＣＰ−ａ〜ｅ  クロスポイントスイッチャー
ＭＥＭ        フレームメモリ（記憶手段）
ＳＶ          スーパービデオ入力端子
Ｓ・ＩＮ１〜３，Ｓ・ＩＮＰＣ  素材入力端子
Ｌ・ＯＵＴ，ＰＶ・ＯＵＴ          映像出力端子
【図１】
0003618386.tif 000002
【図２】
0003618386.tif 000003